(57)【特許請求の範囲】
【請求項１】
撮影する被写体画像をバックライトの照明を利用して映し出すモニタ手段と、被写体照明を行なうフラッシュ手段とを備えた電子スチルカメラにおいて、直流低電圧を発振動作によって昇圧して交番電圧を出力する電圧昇圧手段と、この電圧昇圧手段の出力電圧を上記バックライトの点灯電圧として、また、その出力電圧を整流して上記フラッシュ手段の充電電圧として給電する各回路手段と、フラッシュ手段の充電電圧が所定電圧まで充電されることによる充電停止回路の充電停止動作に応動して上記フラッシュ手段の充電電流を遮断し、フラッシュ手段の充電モ−ドからバックライトの点灯モ−ドに切換えるモ−ド切換手段とを備え、上記モ−ド切換手段の切換えによって上昇する上記電圧昇圧手段の出力電圧により上記バックライトが点灯する構成としたことを特徴とする電子スチルカメラのモニタとフラッシュの給電装置。
【発明の詳細な説明】
【０００１】
【発明の属する技術分野】
この発明は、モニタ用のバックライトの給電とフラッシュ装置の充電とを一つの電源回路によって行なう構成とした電子スチルカメラの給電装置に関する。
【０００２】
【従来の技術】
被写体画像を電気変換し静止画像情報として半導体メモリ或いは磁気ディスク等の記憶媒体に記憶させて撮影する電子スチルカメラが広く知られている。
【０００３】
そして、この種のカメラは、撮影する被写体を観察するため、電子ビュ−ファィンダを備えたものの他に、被写体画像を画面に映し出すモニタ・ディスプレイ装置を備えたものがある。
【０００４】
このモニタ・ディスプレイ装置（以下、単にモニタという）は、例えば、被写体画像信号を供給する液晶表示デバイスと、この液晶表示デバイスの裏側に配設されたバックライト（螢光放電管）とを備え、バックライトの照明によって液晶表示デバイスの画面上に被写体画像を映し出す構成となっている。
【０００５】
なお、このようなモニタは、撮影しようとする被写体画像の表示の他に、記憶媒体に一旦記憶させた被写体画像情報を読み出し、その被写体画像を表示させることができる。
【０００６】
また、上記した電子スチルカメラは、被写界が暗く被写体の明るさが不足する場合、被写体照明を行なって撮影するフラッシュ装置を備えたカメラがある。
【０００７】
このフラッシュ装置（以下、単にフラッシュという）は、シャッタレリ−ズにしたがってトリガ−されるキセノン放電管がメイインコンデンサの充電電荷を受けて発光する構成となっている。
【０００８】
【発明が解決しようとする課題】
上記した電子スチルカメラは、モニタのバックライトを点灯させる電源回路と、フラッシュのメインコンデンサを予め充電する電源回路とを別々に備えている。
具体的には、バックライトの電源回路としてインバ−タが、フラッシュ装置の電源回路としてコンバ−タが設けられている。
【０００９】
その結果、このような電源回路のための部品点数と部品組付け作業が増加し、カメラ生産のロ−コスト化に好ましくなく、また、このような回路部品の組付けスペ−スのためにカメラの小形化に困難を伴なうと言う問題があった。
【００１０】
そこで本発明では、従来の電子スチルカメラが、モニタのバックライトの電源回路としてインバ−タを、フラッシュの電源回路としてコンバ−タを備えていることにかんがみ、これらを共用できる一つの電源回路として上記した問題点を可能なる限り解決することを目的とする。
【００１１】
【課題を解決するための手段】
上記した目的を達成するため、本発明では、撮影する被写体画像をバックライトの照明を利用して映し出すモニタ手段と、被写体照明を行なうフラッシュ手段とを備えた電子スチルカメラにおいて、直流低電圧を発振動作によって昇圧して交番電圧を出力する電圧昇圧手段と、この電圧昇圧手段の出力電圧を上記バックライトの点灯電圧として、また、その出力電圧を整流して上記フラッシュ手段の充電電圧として給電する各回路手段と、フラッシュ手段の充電電圧が所定電圧まで充電されることによる充電停止回路の充電停止動作に応動して上記フラッシュ手段の充電電流を遮断し、フラッシュ手段の充電モ−ドからバックライトの点灯モ−ドに切換えるモ−ド切換手段とを備え、上記モ−ド切換手段の切換えによって上昇する上記電圧昇圧手段の出力電圧により上記バックライトが点灯する構成としたことを特徴とする電子スチルカメラのモニタとフラッシュの給電装置を提案する。
【００１２】
【作用】
このように構成した給電装置は、モ−ド切換手段によってバックライトの点灯モ−ドに切換えられれば、バックライトが点灯し被写体画像がモニタ手段により映し出される。
このとき、フラッシュ手段の充電が停止状態となっている。
【００１３】
また、モ−ド切換手段によってフラッシュ手段の充電モ−ドに切換えられれば、フラッシュ手段が充電される。
この場合は、バックライトが非点灯状態となる。
【００１７】
また、フラッシュ撮影が行なわれ、フラッシュ手段が再度充電されるときは、電圧昇圧手段の出力電圧が降下し、バックライトが自動的に消灯し充電モ−ドとなる。
【００１８】
【発明の実施の形態】
次に、本発明の実施形態について図面に沿って説明する。
図１は給電装置の第１実施形態を示す回路図である。なお、この図面は電子スチルカメラに備えるモニタとフラッシュの給電回路について示してある。
【００１９】
この図において、１０は昇圧トランスであり、これは入力コイル１０Ｐ、出力コイル１０Ｓ、フィ−ドバックコイル１０Ｆを備えたフライバックトランスとなっている。
この昇圧トランス１０が発振用のトランジスタ１１、起動抵抗１２と共にインバ−タを形成しており、電池電源１３の直流電圧を昇圧して高電圧を出力する。
【００２０】
昇圧トランス１０の出力コイル１０Ｓには液晶表示デバイスのバックライト１４を接続した給電回路が設けてある。
昇圧トランス１０の出力電圧（インバ−タ出力）によってバックライト１４を点灯させるようになっている。
なお、バックライト１４は冷陰極の螢光放電管である。
【００２１】
また、昇圧トランス１０の出力コイル１０Ｓには整流用ダイオ−ド１５を介してフラッシュのメインコンデンサ１６を接続した給電回路が設けてある。
メインコンデンサ１６は、キセノン放電管１７、トリガ−回路１８と共に公知のフラッシュ回路を形成している。
【００２２】
つまり、昇圧トランス１０の出力電圧をダイオ−ド１５によって整流してフラッシュを充電するコンバ−タ回路として動作する構成となっている。
【００２３】
メインコンデンサ１６に直列接続したＳＣＲ１９は、フラッシュの充電と非充電とを切換えるモ−ド切換手段を形成し、ＳＣＲ１９の導通によってフラッシュの充電モ−ドとなり、その非導通でバックライトの点灯モ−ドに切換わる。
【００２４】
なお、このＳＣＲ１９はコントロ−ラ２０が出力する切換信号Ｓ１をゲ−ト入力して導通し、その切換信号Ｓ１の消失によって非導通となる。
なお、コントロ−ラ２０は、ＣＰＵなどからなる制御回路構成となっている。
【００２５】
メインコンデンサ１６に接続したツエナ・ダイオ−ド２１と、このツエナ・ダイオ−ド２１に直列接続した抵抗２２、２３と、これら抵抗２２、２３の接続部ａにゲ−ト接続したＦＥＴ２４は、メインコンデンサ１６の充電停止回路を形成している。
なお、ＦＥＴ２４はＮチャンネルのＭＯＳ型電界効果トランジスタである。
【００２６】
すなわち、メインコンデンサ１６が予め定めた所定電圧まで充電されたとき、ツエナ・ダイオ−ド２１が導通し、この結果、抵抗２３に発生する電圧がＦＥＴ２４のゲ−トに加わり、このＦＥＴ２４が導通し、この導通信号が充電停止信号Ｓ２としてコントロ−ラ２０に入力する。
【００２７】
コントロ−ラ２０は充電停止信号Ｓ２を入力することにより、上記した切換信号Ｓ１を消失させてＳＣＲ１９を非導通制御する。
なお、ＳＣＲ１９にはメインコンデンサ１６を充電する半波整流の充電々流が流れるため、切換信号Ｓ１が消失した状態でアノ−ド〜カソ−ド間電圧が零電圧となったとき非導通となる。
【００２８】
その他、ＳＣＲ２５はシャッタレリ−ズにしたがってコントロ−ラ２０より出力されるトリガ−信号Ｓ０をゲ−ト入力して導通し、トリガ−回路１８を動作させるものである。
なお、トリガ−回路１８はＳＣＲ２５の導通によって動作し、高電圧の励起電圧を出力してキセノン放電管１７を発光起動させる。
【００２９】
上記した給電装置は、電源スイッチ２６を投入すると、コントロ−ラ２０が電源スイッチ２６の投入に応動してＨｉｇｈレベルの切換信号Ｓ１を出力する。
これより、ＳＣＲ１９が導通可能状態に移行する。
【００３０】
また、電源スイッチ２６の投入により、起動抵抗１２を通る電源電流が起動電流として発振用トランジスタ１１のベ−スに流れ、このトランジスタ１１がＯＮする。
これより、昇圧トランス１０の入力コイル１０Ｐに電源電流が流れる。
【００３１】
このとき昇圧トランス１０の出力コイル１０Ｓに発生する出力電圧は方形状電圧となり、その出力電圧が数十ボルト〜数百ボルトとなるため、バックライト１４を点灯させる点灯電圧（数千ボルト）には達しないから、このバックライト１４は点灯しない。
また、その出力電圧によって流れる出力電流はダイオ−ド１５に対して逆向きとなり、その整流作用によって阻止され、フラッシュには流れない。
したがって、昇圧トランス１０に入力コイル電流が流れることによって磁気エネルギ−を蓄える。
【００３２】
発振用トランジスタ１１は、昇圧トランス１０が備えるコアの磁気飽和やトランジスタの飽和によってＯＮからＯＦＦに向かう。
このとき昇圧トランス１０の各コイルは図示矢印向きの電圧が発生する。
【００３３】
すなわち、フィ−ドバックコイル１０Ｆに発生した帰還電圧をベ−スに受ける発振用トランジスタ１１が確実にＯＦＦに反転する。
また、出力コイル１０Ｓには高電圧（数千ボルト）のフライバック電圧が発生し、このフライバック電圧によってダイオ−ド１５には順方向の出力電流が流れる。
【００３４】
つまり、出力コイル１０Ｓ、ダイオ−ド１５、メインコンデンサ１６、ＳＣＲ１９のル−プで充電々流が流れ、メインコンデンサ１６が充電される。
出力コイル１０Ｓの出力電圧は、このように流れる充電々流のために降下し、この結果、バックライト１４が消灯したままとなる。
【００３５】
フライバック電圧は昇圧トランス１０の磁気エネルギ−の減少によって消失し、同様にフィ−ドバックコイル１０Ｆの帰還電圧も消失するため、発振用トランジスタ１１のベ−スに起動電流が流れ、このトランジスタ１１が再度ＯＮする。
【００３６】
したがって、昇圧トランス１０が入力コイル電流によって磁気エネルギ−を蓄え、発振用トランジスタ１１のその後のＯＦＦによってフライバック電圧を出力し、メインコンデンサ１６を充電する。
【００３７】
昇圧トランス１０が上記のように発振動作することにより、メインコンデンサ１６がコンバ−タ回路作用によって充電され、この充電々圧が所定値に達することにより、ツエナ・ダイオ−ド２１が導通する。
【００３８】
これより、ＦＥＴ２４が導通し、Ｌｏｗレベルの充電停止信号Ｓ２がコントロ−ラ２０に送られる。
コントロ−ラ２０はこの充電停止信号Ｓ２に応動して切換信号Ｓ１をＬｏｗレベルに変化させる。つまり、切換信号Ｓ１を消失させてＳＣＲ１９を非導通に移行させる。
【００３９】
これによって、フラッシュの充電が停止するため、昇圧トランス１０の出力電圧が急上昇し、この出力電圧によってバックライト１４が点灯する。この点灯により被写体画像がモニタに映し出される。
つまり、バックライト１４がフラッシュの充電停止によって点灯するが、このときはインバ−タ回路動作となる。
【００４０】
したがって、フラッシュ撮影を行なう場合は、バックライト１４の点灯によりモニタに映し出された被写体画像を確認し、その状態でシャッタレリ−ズすれば、コントロ−ラ２０が出力するレリ−ズ信号Ｓ０によりＳＣＲ２５が導通し、キセノン放電管１７が発光する。
【００４１】
このようにフラッシュ撮影することにより、メインコンデンサ１６の充電々荷が放電するから、ツエナ・ダイオ−ド２１、ＦＥＴ２４が非導通となり、充電停止信号Ｓ２が消失する。
これより、コントロ−ラ２０がＨｉｇｈレベルの切換信号Ｓ１を出力し、ＳＣＲ１９を導通させてフラッシュの充電動作に移る。
【００４２】
この結果、フラッシュの充電が停止するまでの間バックライト１４が消灯し、その後、上記したようにこのバックライト１４が点灯し、モニタに被写体画像が映し出される。
【００４３】
上記したように、Ｈｉｇｈレベルの切換信号Ｓ１でフラッシュの充電モ−ド、Ｌｏｗレベルの切換信号Ｓ１でバックライト１４の点灯モ−ドとなるから、コントロ−ラ２０が操作スイッチ２７のスイッチ信号を入力して切換信号Ｓ１をＬｏｗレベルに変える構成とすれば、フラッシュの充電中であっても操作スイッチ２７の操作にしたがってこの切換信号Ｓ１をＬｏｗレベルに変えるバックライト１４を点灯させ、被写体画像をモニタに映し出すことができる。
【００４４】
また、Ｌｏｗレベル充電停止信号Ｓ２は、フラッシュの発光準備が整ったことを示すレディ信号となるから、この充電停止信号Ｓ２に応動させてカメラをフラッシュ撮影モ−ドに移行させる等の手段構成を備えることができる。
【００４５】
図２は第２実施形態として示した給電装置の回路図である。
この実施形態では、昇圧トランス３０が入力コイル３０Ｐ、出力コイル３０Ｓ、フィ−ドバックコイル３０Ｆを備えたフライバックトランスとなっているが、出力コイル３０Ｓには中間タップＱを設け、この中間タップＱにフラッシュの整流用ダイオ−ド１５を接続した構成としてある。
【００４６】
また、この第２実施形態では、Ｈｉｇｈレベルの切換信号Ｓ１を電池電源１３より供給し、さらに、充電停止信号Ｓ２の発生により、この切換信号Ｓ１がＬｏｗレベルに変化して消失する構成となっている。
その他の回路構成は図１に示す第１実施形態と同じ構成である。
なお、トリガ−回路１８は、トリガ−コンデンサ３１、トリガ−トランス３２、充電抵抗３３などから構成してある。
【００４７】
図３はこの第２実施形態の動作を示すタイムチャ−トであるが、同図（Ａ）、（Ｂ）に示すように、この実施形態では、電源スイッチ２６の投入によって電源電圧が切換信号Ｓ１となってＳＣＲ１９のゲ−トに加わる。
【００４８】
したがって、昇圧トランス３０が発振動作すると、中間タップＱより一方側の出力コイル部分３０Ｓ１に発生したフライバック電圧によってメインコンデンサ１６が充電される。
【００４９】
フライバック電圧は中間タップＱより一方側の出力コイル部分３０Ｓ１とその他方側の出力コイル部分３０Ｓ２とに発生するが、フラッシュを充電しているために、出力コイル部分３０Ｓ１のフライバック電圧が降下することから、バックライト１４が消灯のままとなる。
【００５０】
メインコンデンサ１６の充電々圧が所定値に達すると、図３（Ｃ）、（Ｄ）に示すように、Ｌｏｗレベルの充電停止信号Ｓ２が発生し、図３（Ｂ）のように切換信号Ｓ１がＬｏｗレベルに変化し、ＳＣＲ１９が非導通に反転する。
【００５１】
これより、フラッシュの充電が停止し、昇圧トランス３０の出力コイル部分３０Ｓ１に発生するフライバック電圧が上昇する。
したがって、図３（Ｅ）に示すように、出力コイル部分３０Ｓ１、３０Ｓ２に発生した高電圧のフライバック電圧を受けてバックライト１４が点灯し、被写体画像がモニタに映し出される。
【００５２】
モニタの表示状態でフラッシュ撮影すると、その後に充電モ−ドに移り、バツクライト１４が消灯するが、このことは第１実施形態と同様である。
【００５３】
図４は第３実施形態として示した給電装置の回路図である。
この第３実施形態では、フォトダイオ−ド４２とフォトＳＣＲ４０からなるフォトカプラ−を使用してモ−ド切換手段を構成した点に特徴がある。
【００５４】
すなわち、フラッシュの整流用ダイオ−ド１５に換えてフォトＳＣＲ４０を設け、また、電池電源１３には抵抗４１、フォトダイオ−ド４２、スイッチング動作用のトランジスタ４３の直列回路体を並列に接続して構成したモ−ド切換手段となっている。
その他は図２に示した第２実施形態と同じ構成であるが、ただ、この第３実施形態ではモ−ド切換手段を上記のように構成したことからＳＣＲ１９は必要としない。
【００５５】
この第３実施形態は、電源スイッチ２６を投入すると、電源電圧が切換信号Ｓ１としてトランジスタ４３のベ−スに加わり、このトランジスタ４３がＯＮする。
これより、フォトダイオ−ド４２が発光し、この発光によりフォトＳＣＲ４０が導通し、フラッシュの充電モ−ドとなり、昇圧トランス３０の発振動作によって発生した出力コイル部分３０Ｓ１のフライバック電圧によってメインコンデンサ１６が充電される。
【００５６】
メインコンデンサ１６が所定電圧まで充電されると、既に述べたように、ＦＥＴ２４が導通してＬｏｗレベルの充電停止信号Ｓ２が発生し、このため、切換信号Ｓ１がＬｏｗレベルとなり、トランジスタ４３がＯＦＦする。
これより、フォトダイオ−ド４２が消光し、フォトＳＣＲ４０が非導通となりバックライト１４の点灯モ−ドとなる。
【００５７】
すなわち、昇圧トランス３０の出力コイル部分３０Ｓ１の出力電圧が上昇することから、出力コイル部分３０Ｓ１、３０Ｓ２に発生するフライバック電圧を受けてバックライト１４が点灯し、被写体画像がモニタに映し出される。
その他は図２に示した第２実施形態と同様の動作となる。
【００５８】
図５は第４実施形態として示した給電装置の回路図である。
この第４実施形態では、昇圧トランス５０が入力にコイル５０Ｐ、出力コイル５０Ｓ、フィ−ドバックコイル５０Ｆを備えたフォ−ワ−ドタイプのトランスとなっている。
【００５９】
このタイプの昇圧トランス５０は、フラッシュの充電動作においても出力コイル部分５０Ｓ１の出力電圧が降下するが、その降下の程度が少ないので、フラッシュの充電モ−ドとバックライトの点灯モ−ドにしたがって巻線比を変える構成としてある。
【００６０】
すなわち、昇圧トランス５０の入力コイル５０Ｐに中間タップＰを設け、この中間タップＰより一方側の入力にコイル部分５０Ｐ１に電源電流を入力させて点灯モ−ド、入力コイル部分５０Ｐ１、５０Ｐ２に電源電流を入力させて充電モ−ドとなるように巻線比が変えられる。
【００６１】
この図において、ＦＥＴ５１は入力コイル部分５０Ｐ１、５０Ｐ２に入力する電源電流を断続させる発振用のスイッチング素子で、ＦＥＴ５２は一方側の入力にコイル部分５０Ｐ１に入力する電源電流を断続させる発振用のスイッチング素子である。
なお、これらＦＥＴ５１、５２は共にＰチャンネルのＭＯＳ型電界効果トランジスタである。
【００６２】
ＦＥＴ５１、５２のゲ−トに接続したトランジスタ５３、５４は、これらＦＥＴ５１、５２を導通、非導通させるための制御用のスイッチング素子で、起動抵抗５５、５６を通って流れる起動電流をベ−ス入力してＯＮし、また、昇圧トランス５０のフィ−ドバックコイル５０Ｆによって帰還作用を受けるようになっている。
【００６３】
また、制御用のトランジスタ５３、５４各々のベ−ス〜エミッタ間に接続したトランジスタ５７、５８は、巻線比切換信号Ｓ３、Ｓ４をベ−ス入力して交互にＯＮする巻線比切換用のものである。
【００６４】
つまり、コントロ−ラ５９が出力する巻線比切換信号Ｓ３、Ｓ４によってトランジスタ５８をＯＮ、トランジスタ５７をＯＦＦに保てば、制御用のトランジスタ５４がＯＦＦのままとなり、制御用トランジスタ５３がＯＮ、ＯＦＦを繰返す。
【００６５】
したがって、ＦＥＴ５１が導通、非導通を繰返し、ＦＥＴ５２が非導通を保持する。
これより、昇圧トランス５０が入力コイル５０Ｐ全体に流れる電源電流によって発振し、巻線比が減少する。
【００６６】
上記とは反対に、トランジスタ５７をＯＮし、トランジスタ５８をＯＦＦに保てば、上記同様にしてＦＥＴ５１が非導通を保持し、ＦＥＴ５２が導通、非導通を繰返す。
これより、昇圧トランス５０が入力コイル部分５０Ｐ１に流れる電源電流によって発振し、巻線比が増大する。
【００６７】
この第４実施形態は上記のようにフォ−ワ−ドタイプの昇圧トランス５０の巻線比をモ−ド切換にしたがって変える構成となってるが、その他の構成は図４に示した第３実施形態と同じ構成となっている。
【００６８】
上記した給電装置は、電源スイッチ２６を投入すると、図６に示すタイムチャ−ト（Ａ）、（Ｂ）、（Ｃ）のように、コントロ−ラ５９がＨｉｇｈレベルの切換信号Ｓ１、Ｓ４を出力する。
なお、この時点では図６（Ｆ）に示すように、切換信号Ｓ３はＬｏｗレベルとなっている。
【００６９】
これより、トランジスタ４３がＯＮしてフォト・ダイオ−ド４２が発光し、フォトＳＣＲ４０が導通するからフラッシュの充電モ−ドとなる。
また、トランジスタ５８がＯＮ状態となることから、ＦＥＴ５２が非導通を保ち、ＦＥＴ５１がＯＮ、ＯＦＦを繰返すようになる。
【００７０】
したがって、昇圧トランス５０の入力コイル５０Ｐ全体に電源電流が流れる巻線比の減少動作で発振しメインコンデンサ１６を充電する。
なお、このように巻線比を減少させた昇圧トランス５０の出力電圧ではバックライト１４が点灯しない。
【００７１】
メインコンデンサ１６が所定電圧まで充電されたとき、図６（Ｅ）に示すようにＬｏｗレベルの充電停止信号Ｓ２がコントロ−ラ５９に入力し、コントロ−ラ５９がこの充電停止信号Ｓ２に応動して、切換信号Ｓ１、Ｓ４をＨｉｇｈレベルからＬｏｗレベルに変え、また、Ｈｉｇｈレベルの切換信号Ｓ３を出力する。（図６（Ｂ）、（Ｃ）、（Ｆ）参照）
【００７２】
これより、トランジスタ４３がＯＦＦ、フォトダイオ−ド４２が消光、フォトＳＣＲ４０が非導通となってバックライト１４の点灯モ−ドとなる。
また、トランジスタ５７がＯＮ状態となることから、ＦＥＴ５１が非導通を保ち、ＦＥＴ５２が導通、非導通を繰返す。
【００７３】
この結果、昇圧トランス５０には中間タップＰより電源電流が入力し、入力コイル部分５０Ｐ１に電源電流が流れる巻線比の増大状態となる。
昇圧トランス５０がこのように巻線比を増大させた状態で発振動作し、その出力電圧によってバックライト１４が点灯する。（図６（Ｇ）参照）
この第４実施形態の他の動作は上記した各実施形態と同様となる。
なお、第４実施形態はフォトカプラに変えて図１、図２に示すＳＣＲ１９のモ−ド切換手段を設けてもよい。
【００７４】
【発明の効果】
上記した通り、本発明に係る給電装置は、モニタのバックライトを点灯させるインバ−タ電源回路と、フラッシュを充電するコンバ−タ電源回路とを一つの電圧昇圧手段で構成したので、モニタとフラッシュの電源部の構成が簡単となり、電子スチルカメラの小形化と生産のロ−コスト化に極めて有利な給電装置となる。
【図面の簡単な説明】
【図１】第１実施形態を示す給電装置の回路図である。
【図２】第２実施形態を示す給電装置の回路図である。
【図３】第２実施形態の動作を説明するためのタイムチャ−トである。
【図４】第３実施形態を示す給電装置の回路図である。
【図５】第４実施形態を示す給電装置の回路図である。
【図６】第４実施形態の動作を説明するためのタイムチャ−トである。
【符号の説明】
１０  フライバックタイプの昇圧トランス
１１  発振用トランジスタ
１４  モニタのバックライト
１６  メインコンデンサ
１７  キセノン放電管
１９  モ−ド切換手段を構成するＳＣＲ
２０  コントロ−ラ
２４  充電停止信号Ｓ２を発生するＦＥＴ
３０  フライバックタイプの昇圧トランス
４０  フォトカプラを構成するフォトＳＣＲ
４２  フォトカプラを構成するフォトダイオ−ド
５０  フォ−ワ−ドタイプの昇圧トランス
５１、５２  発振用のＦＥＴ
５９  コントロ−ラ
【図１】
0003780466.tif 000002
【図２】
0003780466.tif 000003
【図３】
0003780466.tif 000004
【図４】
0003780466.tif 000005
【図５】
0003780466.tif 000006
【図６】
0003780466.tif 000007